(57)【要約】  手持ち式シャワーヘッド（３０）を保持するのに適したブラケット組立体（２８）を支持するスライドバー（２６）を有するスライドバー組立体（２０）が提供される。使用者がトリガ（４２）を押し下げることによってシャワーヘッド（３０）の高さを調節することを可能にするために、制動組立体（９６）が、使用者作動トリガ（４２）を介して、ブラケット組立体（２８）をスライドバー（２６）に解放可能に連結する。スライドバー組立体（２０）は、スライドバー（２６）をシャワー壁（２２）に接続するよう構成される壁取付け組立体（２４）をさらに含む。
2009534561.tif 000002
【特許請求の範囲】
【請求項１】
シャワーヘッドを取り外し可能に保持するのに適した移動可能なブラケット組立体を支持する長手に延在するスライドバーを含む、スライドバー組立体であって、前記ブラケット組立体は、
前記スライドバーを受容するスライダ部材と、
前記シャワーヘッドを取り外し可能に受容するのに適するよう構成された、前記スライダ部材によって支持されるホルダと、
前記スライダ部材に連結される制動組立体とを含み、該制動組立体は、１）制動位置にあるときに、前記スライダ部材が前記スライドバーに沿って長手に平行移動するのを阻止するために、付勢力の下で前記スライドバーに対して付勢される制動パッドと、２）作用表面を定める第一端部と、前記制動パッドに連結される第二端部とを有するトリガとを含み、
前記第一端部は、前記第二端部が前記制動パッドを前記スライドバーから離れる方向に移動させるよう押し下げられ得ることによって、前記スライドバーに沿って長手に平行移動するよう前記スライダ部材を解放する、
スライドバー組立体。
【請求項２】
前記スライダ部材は、前記スライダ部材に対する長手動作に対して固定されるスリーブを受容し、該スリーブは、前記スライドバーを受容する、請求項１に記載のスライドバー組立体。
【請求項３】
前記スリーブは、そこを通じるポケットを定め、該ポケットは、前記制動パッドが前記ポケットを通じて前記スライドバーと係合するよう前記制動パッドと整列する、請求項２に記載のスライドバー組立体。
【請求項４】
前記ブラケット組立体は、前記スライダ部材によって支持されるブロックをさらに含み、前記制動組立体は、前記ブロックに連結される、請求項１に記載のスライドバー組立体。
【請求項５】
前記ブロックは、そこを通じて横方向に延びる切欠きを定め、該切欠きは、前記制動パッドと、付勢力をもたらす少なくとも１つのバネ部材とを受容する、請求項４に記載のスライドバー組立体。
【請求項６】
前記バネ部材は、バネ座に対して位置する、請求項５に記載のスライドバー組立体。
【請求項７】
前記ホルダは、前記ブロックに締結され、前記バネ座は、前記ホルダによって保持される、請求項６に記載のスライドバー組立体。
【請求項８】
前記バネは、さらに前記トリガの前記第二端部に対して位置する、請求項６に記載のスライドバー組立体。
【請求項９】
前記トリガの前記第一端部は、前記トリガの前記第二端部を前記スライドバーから離れる方向に押し付けるために、前記スライドバーに向かう方向に作動される、請求項８に記載のスライドバー組立体。
【請求項１０】
当該スライドバー組立体をシャワー囲壁に接続するのに適した壁取付け組立体をさらに含み、該取付け組立体は、
前記壁に隣接して配置可能な第一遠位端部と、前記第一遠位端部の反対側に配置される第二遠位端部とを有する、前記壁に取り付け可能なスリーブと、
第一コネクタ端部で前記スリーブに締結され、且つ、前記第二遠位端部が前記スライドバーに隣接して配置されるよう前記第一コネクタ端部と反対側の第二コネクタ端部で前記スライドバー内に部分的に延在するコネクタと、
前記スライドバー内部に配置される係止機構とを含み、該係止機構は、前記コネクタの前記第二端部を前記スライドバーに対する横方向動作に対して固定するよう構成される、
請求項１に記載のスライドバー組立体。
【請求項１１】
取り外し可能なシャワーヘッドを支持するのに適したスライドバーを有するスライドバー組立体であって、当該スライドバー組立体は、当該スライドバー組立体をシャワー囲壁に接続するのに適した壁取付け組立体を有し、該取付け組立体は、
前記壁に隣接して配置可能な第一遠位端部と、該第一遠位端部の反対側に配置される第二遠位端部とを有する、前記壁に取付け可能なスリーブと、
第一コネクタ端部で前記スリーブに締結され、且つ、前記第二遠位端部が前記スライドバーに隣接して配置されるよう前記第一コネクタ端部と反対側の第二コネクタ端部で前記スライドバー内に部分的に延在するコネクタと、
前記スライドバー内部に配置される係止機構とを含み、該係止機構は、前記コネクタの前記第二端部を前記スライドバーに対する横方向動作に対して固定するよう構成される、
スライドバー組立体。
【請求項１２】
前記スライドバーは、本質的に丸い外表面を有し、前記スリーブの前記第二遠位端部は、前記スライドバー外表面に対して適合するよう湾曲される、請求項１１に記載のスライドバー組立体。
【請求項１３】
前記スリーブは、前記スリーブ内部に形成される内向き違延在する段部を含み、前記第一コネクタ端部は、前記段部内に螺挿される、請求項１１に記載のスライドバー組立体。
【請求項１４】
前記コネクタは、前記第一コネクタ端部に隣接して配置される径方向肩部をさらに含み、該径方向肩部は、前記コネクタが前記スリーブ内に十分に挿入されるときに前記段部に当接する大きさとされる、請求項１３に記載のスライドバー組立体。
【請求項１５】
前記肩部は、前記コネクタが前記スリーブ内に十分に挿入されるときに、前記スリーブの前記第二遠位端部に対して凹まされる、請求項１４に記載のスライドバー組立体。
【請求項１６】
前記スライドバーは、その内部に形成される孔を定める外表面を有し、前記係止機構は、前記スライドバー内に配置されるスラグをさらに含み、該スラグは、前記孔と整列される、そこを通じて延在する通路をさらに定める、請求項１３に記載のスライドバー組立体。
【請求項１７】
前記コネクタの前記第二端部は、前記孔及び前記通路を通じて適合する大きさとされるヘッドを含む、請求項１６に記載のスライドバー組立体。
【請求項１８】
前記コネクタの前記第二端部は、前記ヘッドに隣接して配置される首部をさらに含み、前記係止機構は、前記首部と係合する大きさとされる止めネジをさらに含む、請求項１７に記載のスライドバー組立体。
【請求項１９】
前記スライドバーは、中空部分を含み、前記係止機構は、前記中空部分を閉塞するエンドキャップ組立体を介して前記中空部分内に保持される、請求項１１に記載のスライドバー組立体。
【請求項２０】
壁に取り付けられ且つシャワーヘッドを支持するよう構成されるスライドバー組立体であって、当該スライドバー組立体は、
長手に延在するスライドバーを含み、
該スライドバーを前記壁に接続する、横方向に延在する取付け組立体とを含み、該取付け組立体は、
ｉ）前記壁に取り付けられるスリーブと、
ii）第一コネクタ端部で前記スリーブに締結され、且つ、前記第一コネクタ端部の反対側の第二コネクタ端部で前記スライドバー内に部分的に延在するコネクタと、
iii）前記スライドバー内部に配置される係止機構とを含み、該係止機構は、前記コネクタの前記第二端部を前記スライドバーに対する横方向動作に対して固定するよう構成され、
前記スライドバーから横方向に外向きに延在するブラケット組立体を含み、該ブラケット組立体は、
ｉ）前記スライドバーに沿って摺動するよう構成されるスライダ部材を含み、該スライダ部材は、クランプを支持し、該クランプは、前記シャワーヘッドを取り外し可能に保持するよう構成され、
ii）前記クランプを前記スライドバーに解放可能に接続する制動組立体を含み、該制動組立体は、第一トリガ端部で制動パッドに接続されるバネ荷重トリガを含み、前記第一トリガ端部は、前記スライドバーに沿う前記スライダ部材の長手方向動作を防止するために、前記制動パッドを前記スライドバーに対して応答して付勢するよう、バネ力の下で前記スライドバーに向かって付勢され、前記トリガは、前記制動パッドを前記スライドバーから取り外し且つ前記スライダ部材が前記スライドバーに沿って長手方向に平行移動することを許容するために、前記第二トリガ端部を前記バネ力に抗して付勢するよう、前記第一端部と反対側の第二トリガ端部で作動される、
スライドバー組立体。
【発明の詳細な説明】
【技術分野】
【０００１】
本発明は、シャワー取り付け可能なスライドバーに関し、より具体的には、高さ調節可能なシャワーヘッド支持ブラケットを支える、そのようなスライドバーに関する。
【背景技術】
【０００２】
固定式シャワーヘッドは、典型的には、シャワー壁から延び、シャワー囲い内にスプレーを方向付ける。手持ち式シャワーヘッドは、より大きな多様性を提供する。一部の手持ち式シャワーヘッドは、シャワー壁に取り付けられる支持ブラケットに取り外し可能に取り付けられ、よって、「固定式」シャワーヘッドとして使用され得るし、或いは、使用者によってブラケットから取り外され、シャワースプレーを所望に方向付けるよう手持ちされ得る。
【０００３】
残念なことに、手持ち式シャワーヘッドが固定式シャワーヘッドとして機能することを使用者が望むとき、方向付けられるスプレーの高さも固定される。大人をシャワーするよう最適に方向付けられて固定されたスプレーは、子供にとって最適化されていない。結果として、ブラケット及び対応するシャワーヘッドの垂直位置が使用者によって設定され得るよう、垂直に延びるレール（又はスライドバー）に摺動可能に取り付けられる、そのような装置のブラケットが開発されている。例えば、米国特許第４，２７１，５４３号、５，２６５，８３３号、５，６３２，０４９号、６，４５３，４８６号、及び、６，８０２，０８９号を参照。
【０００４】
そのようなブラケットは、典型的には、スプレーヘッド位置を調節するよう使用者によって外され、引き続き、スプレーヘッド位置を係止するよう再係合され得る、解放可能な係止機構を含む。残念ながら、これらの従来的なスライドバーの一部は、シャワー壁に据え付けるのが困難であり、且つ／或いは、支持ブラケットを使用するのが困難であり、人間工学的に不十分であり、且つ／或いは、製造及び組立てが複雑である。
【発明の開示】
【発明が解決しようとする課題】
【０００５】
よって、シャワー壁に容易に据え付け可能であり、バーに摺動可能に取り付けられるブラケットを有し、バーに沿うブラケットの位置が使用者によってより容易に調節され且つ係止され得る、手持ち式シャワー用のスライドバーの必要が存在する。
【課題を解決するための手段】
【０００６】
１つの特徴において、本発明は、手持ち式シャワーヘッドを保持するのに適したブラケット組立体を支持する長手に延在するスライドバーを有するスライドバー組立体を提供する。ブラケット組立体は、スライドバーを受容するスライダ部材を含む。クランプ／ホルダが、スライダ部材によって支持され、シャワーヘッドを取り外し可能に受容するように構成される。
【０００７】
制動組立体は、スライダ部材に連結され、１）制動位置にあるときに、スライダ部材がスライドバーに沿って長手に平行移動するのを阻止するために、付勢力の下でスライドバーに対して付勢される制動パッドと、２）作用表面を定める第一端部と、制動パッドに連結される第二端部とを有するトリガとを含む。第一端部は、第二端部がスライドバーから離れる方向に制動パッドを移動させるよう押し下げられ得ることによって、スライドバーに沿って長手に平行移動するようスライダ部材を自由にする。
【０００８】
１つの好適な形態において、スライダ部材は、スリーブがスライドバーを受容するよう、スライダ部材に対する長手動作に対して固定されるスリーブを受容し得る。スリーブは、そこを通じて延在するポケットを定めることができ、ポケットは、制動パッドがポケットを通じてスライドバーと係合するよう、制動パッドと整列する。
【０００９】
他の好適な形態において、ブラケット組立体はブロックを含み、ブロックは、制動組立体がブロックに連結されるよう、スライダ部材によって支持される。ブロックは、切欠きが制動パッドを受容するよう、そこを通じて横方向に延在する切欠きを定め得る。バネ座に対して位置する、少なくとも１つのバネ部材が、付勢力をもたらし得る。バネ座は、ブロックに締結され得るクランプによって保持され得る。バネは、トリガの第二端部に対してさらに位置し得る。
【００１０】
さらに他の形態において、トリガの第一端部は、トリガの第二端部をスライドバーから離れる方向に押し付けるために、スライドバーに向かう方向に作動され得る。
【００１１】
本発明の他の特徴によれば、スライドバー組立体が提供される。スライドバー組立体は、取り外し可能な手持ち式シャワーヘッドを支持するのに適したスライドバーを有する。スライドバー組立体は、スライドバーをシャワー囲壁に接続するのに適した壁取付け組立体を含む。壁取付け組立体は、壁に取り付け可能なスリーブを含み、スリーブは、壁に隣接して配置される第一遠位端部と、第一遠位端部の反対側に配置される第二遠位端部とを有する。
【００１２】
コネクタが、スリーブ第一コネクタ端部に締結され、第二遠位端部がスライドバーに隣接して配置されるよう第一コネクタ端部の反対側の第二コネクタ端部でスライドバー内に部分的に延在する。係止機構が、スライドバー内部に配置される。係止機構は、スライドバーに対する横方向動作に対して第二コネクタ端部を固定するよう構成される。
【００１３】
この実施態様の１つの好適な形態において、スライドバーは、実質的に丸い外表面を有し得るし、スリーブの第二遠位端部は、スライドバー外表面に対して適合するよう湾曲され得る。
【００１４】
この実施態様の他の好適な形態において、スリーブは、スリーブ内部に形成される内向きに延在する段部を含み得るし、第一コネクタ端部は、段部内に螺挿され得る。コネクタは、第一コネクタ端部に隣接して配置される径方向肩部をさらに含み得る。径方向肩部は、コネクタがスリーブ内に十分に挿入されるときに段部に当接する大きさとされ得る。肩部は、コネクタがスリーブ内に十分に挿入されるときに、スリーブの第二遠位端部に対して凹まされ得る。
【００１５】
この実施態様のさらに他の形態において、スライドバーは、その中に形成される孔を定める外表面を有し得るし、係止機構は、スライドバー内に配置されるスラグを含み得る。スラグは、そこを通じて延在し且つ孔と整列される通路を定め得る。第二コネクタ端部は、孔及び通路を通じて適合する大きさとされる頭部を含み得る。
【００１６】
第二コネクタ端部は、頭部に隣接して配置される頭部をさらに含み得るし、係止機構は、首部と係合する大きさとされる止めネジをさらに含み得る。スライドバーは、中空部分を有し得るし、係止機構は、中空部分を閉塞するエンドキャップ組立体を介して中空部分内に保持され得る。
【００１７】
従って、本発明は、選択的な第一固定位置での手持ち式シャワーの取付け、或いは、代替的に、異なる使用者のための異なる最適化された高さに適合するよう、他の固定位置での手持ち式シャワーの取付けを許容する。手持ち式シャワーの高さは、実質的な力を必要としない直感的に簡単な押込動作で調節され得る。具体的には、回転力は必要とされず、よって、かれらの手で捩り動作を行う健康問題（例えば、関節炎）を有する消費者が、この装置をより容易に使用し得る。
【００１８】
スライドバーを壁に組み付ける手段も、顕著な利点を有する。それは僅かの部品を必要とし、接続を視野から本質的に隠す。さらに、部品は製造が安価であり、組立てに余り時間を必要としない。
【００１９】
本発明のこれらの及び他の利点は、詳細な記載及び図面から明らかであろう。以下に続くものは、本発明の好適実施態様であるに過ぎない。本発明の完全な範囲を評価するためには、請求項に目が向けられるべきである。
【発明を実施するための最良の形態】
【００２０】
図１及び図２を先ず参照すると、スライドバー組立体２０が、シャワー囲いの垂直に延びる壁２２に取り付けられている。スライドバー組立体２０は、水環境の当業者に既知の如何なる適切な材料からも作成可能であり、上方端部２９と下方端部３１とのそれぞれの間に延在する円筒形壁２７を有する長手に延びるスライドバー２６を含む。スライドバー２６は、横方向に延在する壁取付け組立体２４によって、その終端部２９及び３１で支持されている。各取付け組立体２４は、スライドバー２６を壁２２に容易に取り付けるよう構成されている。
【００２１】
スライドバー２６は、従来的な取り外し可能な手持ち式シャワーヘッド３０を支えるブラケット組立体２８を支持している。例えば、米国特許第６，４５３，４８６号を参照。シャワーヘッド３０は、可撓な導管３４からの供給水を受け入れ、水をスプレー面３６に送る、管状ハンドルを含み得る。供給水を指向性スプレー４０としてシャワー囲い内に送るために、ノズル３８の配列がスプレー面３６に形成されている。
【００２２】
使用者が、対応するスプレー４０を手動で方向付けるために、シャワーヘッド３０を保持することを欲するとき、管状ハンドル３２は、普通の方法でブラケット組立体２８から取り外され得る。代替的に、使用者がシャワーヘッド３０を壁に取り付けることを欲するとき、シャワーヘッド３０の高さは、スライドバー２６に沿って垂直に摺動可能なブラケット組立体２８を介して調節され得る。
【００２３】
この目的を達成するために、ブラケット組立体２８は、矢印Ａの方向に沿って使用者によって押し下げ可能であり、それによって、使用者が矢印Ｂの方向に沿ってブラケット組立体２８を上げ（上昇位置は図２中に仮想線で示されている）或いは矢印Ｃの方向に沿ってブラケット組立体２８を下げる（下降位置は図２中に仮想線で示されている）ことを可能にするトリガ４２を含む。次に、トリガ４２は、スライドバー２６上でブラケット組立体２８の垂直位置を係止するよう解放される。
【００２４】
取付け組立体２４が図２乃至４を参照して今や記載され、スライドバーの上方端部２９に接続される取付け組立体２４は、スライドバーの下方端部３２に接続される取付け組立体２４に対して対称的に構成されていることが理解されよう。従って、下方端部３１に接続された取付け組立体２４のみが、ここに詳細に記載され、「横方向に内向き」及び「横方向に外向き」の用語は、壁２２に向かう方向及び離れる方向をそれぞれ指している。
【００２５】
取付け組立体２４は、壁２２とスライドバー２６との間で横方向に延びる細長い管状のスリーブ４４を含む。具体的には、スリーブ４４は、壁２２と連結される殆ど閉塞された外方端部４８と、反対の外側端部４８に配置される殆ど開放の内側端部５０とを有する、中空部材である。実質的に円筒形の孔５２が、外側端部４８を通じて横方向に延びており、ネジ５４のシャフトを受け入れるが、ネジ頭部が通り抜けるのを防止する大きさとされている。
【００２６】
よって、ネジ５４は壁２２に締結され得る。開放された内側端部５０は、円筒形の壁２７の曲率と整合するような湾曲された輪郭を有する舌部５１を定める。スリーブ４４は、開放内側端部５０の直径よりも僅かに少ない直径を定める、開放内側端部５０に近接して配置される径方向段部５３を定める。
【００２７】
コネクタ５６が、スライドバー２６とスリーブ４４との間に横方向に延在している。コネクタ５６は、段部５３内に螺挿されるよう構成された外側円筒形部分５８を含む。コネクタ５６は、開放内側端部５０の直径よりも僅かに少ないが、段部５３の直径よりも大きい直径を有する円筒形部分５８に隣接して配置された肩部６０をさらに含むことで、肩部６０は、コネクタ５６がスリーブ４４内に完全に挿入されるのを防止するストップをもたらす。よって、コネクタ５６は、肩部６０が段部５３に当接するまで、スリーブ４４内に螺挿される。この位置において、肩部６０は、舌部５１に対して凹まされている。
【００２８】
コネクタ５６は、さらに、肩部６０から横方向に外向きに配置された円筒形の喉部６２と、喉部６２から横方向に外向きに配置された円筒形の頭部６４とを含む。頭部６４は、喉部６２の直径と実質的に等しい直径を有し、円筒形部分５８をスリーブ４４内に挿入するために平頭ネジ回しによって係合されるよう構成されている。
【００２９】
円筒形の首部６６が、喉部６２と頭部６４との間に配置され、喉部６２及び頭部６４の直径に対して減少された直径を有している。孔６８が、円筒形の壁２７を通じて横方向に延び、孔５２との整列のために構成されている。スライドバー２６は、孔６８の領域で中空であり、孔６８は、頭部６４、円筒形首部６６、及び、喉部６２をぴったりと受け入れる大きさとされている。
【００３０】
取付け組立体２４は、スライドバー２６内に据え付けられた、長手に延びるキャップ組立体７１をさらに含む。この記載の目的のために、「上」及び「下」の用語は、スライドバー２６が図１中に例証されている垂直向きにあるときの方向を指している。よって、「垂直」及び「長手」の用語は、明瞭性及び便宜性の目的のために、この記載を通じて同義に使用され、本発明の原理は、スライドバー２６の向きに拘わらず適用可能であること、並びに、本発明はここに例証され記載される特定の向きに限定されることが意図されていないことが理解されよう。
【００３１】
エンドキャップ組立体７１は、スライドバー２６内部に適合する大きさとされた外径を有する円筒形の案内スラグ７０を含む。スラグ７０は、閉塞された下方端部７５と、下方端部７５を通じて垂直に延びる孔７４とを有する。横方向に向けられた実質的に円筒形の通路７２が、スラグ７０を通じて径方向に延びている。
【００３２】
スラグ７０は、通路７２が孔６８と横方向に整列するよう、スライドバー２６の下方端部３１内に垂直に挿入されている。この位置において、下方端部７５は、スライドバー２６の下方端部３１より上に配置されている。径方向切込み７３が、その下方端部に隣接してスラグ７０内に形成され、スラグ７０とスライドバー２６との間のシールをもたらすＯリング７６を受容している。案内スラグ７０がスライドバー２６内に据え付けられるや否や、喉部６２、円筒形首部６６、及び、頭部６４は、舌部５１が円筒形壁２７と当接するまで、孔６８及び通路７２を通じて挿入される。この位置において、頭部６４は、通路７２の横方向外側端部に対して実質的に面一であり、円筒形首部６６は、孔７４と垂直に整列される。
【００３３】
エンドキャップ組立体７１は、孔７４内に垂直に螺挿される（代替的に摩擦嵌めされる）よう構成された一組の止めネジ８０をさらに含む。止めネジ８０は、コネクタ５６の頭部６４と喉部６２との間で円筒形首部６６内部に滑り嵌めする大きさとされた先細り状の上方端部８１を有する。よって、止めネジ８０及びスラグ７０は、スライドバー２６に対する横方向動作に対するコネクタ５６の位置を固定する係止機構をもたらす。
【００３４】
最後に、スライドバー２６の下方端部３１内に摩擦嵌めされる（代替的に螺入される）よう構成されたエンドキャップ８２が設けられる。径方向切込み８３が、首部８６内に形成され、スライドバー２６に対するシールをもたらすＯリングを受容する。エンドキャップ部材８２は、エンドキャップ部材８２がスライドバー２６内に完全に挿入されるときに下方端部３１と当接する下方円筒形頭部８５をさらに含む。
【００３５】
図２、５、及び、６を今や参照すると、ブラケット組立体２８は、クランプ９４を支持するスライダ部材９２を含む。スライダ部材９２は、スライドバー２６に沿って進行するよう構成された円筒形スリーブ９０を受容する。トリガ応答制動システム９６が、クランプ９４をスライドバー２６に解放可能に接続している。
【００３６】
スリーブ９０は、スライドバー２６の直径よりも僅かにだけ大きい内径を有する、垂直に延びる管状部材である。スライドバー２６上でのスリーブ９０の摺動を補助するために、スロット９８が、スリーブ９０を通じて垂直に延びている。矩形のポケット１００が、スリーブ９０の上方端部の横方向外側に形成され、フランジ１０２が、スリーブ９０の下方端部から径方向外向きに延びている。
【００３７】
スライダ部材９２は、スリーブ９０の外径よりも僅かに大きい内径を有する、垂直に延びる円筒形首部１０４を含むことで、スリーブ９０は首部１０４によって受容される。垂直動作に対してスリーブ９０を首部１０４内に係止するために、フランジ１０２を受容する首部１０４の下方端部に、径方向切込みが形成されている。
【００３８】
概ね矩形のブロック１０６が、首部１０４の上方端部から横方向に外向きに延びている。ブロック１０６は、正面１０８と、対向する上方壁１１０及び下方壁１１２と、首部１０４と正面１０８との間に延在する対向する湾曲側壁１１４とを含む。楕円形状の切欠き１１６が、下方壁１０を通じて垂直に延び、横方向に（即ち、長手方向及び横方向の両者に対して垂直な方向に）細長い。
【００３９】
実質的に円形の切欠き１１８が、正面１０８の下方端部を通じて矛方向に延び、矩形の切欠き１２０が、円形の切欠き１１８より上の場所で、正面１０８を通じて延びている。矩形の切欠き１２０は、スライドバー２６の外側円筒形壁２７の露出部分が切欠き１２０と整列されるよう、スリーブ９０のポケット１００と整列される。
【００４０】
クランプ９４は、垂直に延びる基部１２２と、基部１２２から横方向外向きに延びる対向する湾曲アーム１２４とを含む。湾曲アーム１２４は、上述の方法でシャワーヘッド３０の管状ハンドル３２と係合するよう可撓である。斜め孔１２６が、基部１２２を通じて延び、ネジ１２８のシャフトを受容する大きさとされている。ネジ１２８は、切欠き１１８を通じて延び、カラー１３０及びカラー１３０に対して横方向内向きに配置されるワッシャ１３２内にさらに挿入される。
【００４１】
ワッシャ１３２及びカラー１３０は、ブロック１０６内部に形成された、横方向に内向きに面する座１３５によって支持されている。座１３５は、ネジ１８を受容するネジ山付き孔１３７を定めている。ワッシャ１３２及びカラー１３０は、ネジ１２８が十分に挿入されるときに、基部１２２が正面１０８に当接するよう、横方向に離間されている。
【００４２】
ネジ１２８は、クランプ９４が通常動作中に回転することを防止する摩擦力をもたらすよう十分に締結される。加えて、通常動作中のクランプ９４の回転をさらに防止するために、円筒形スリーブ１３４が、ネジ１２８より上の場所でカラーと矩形ブロック１０６との間に延在している。具体的には、ピン１３６が、基部１２２から横方向に内向きに延びている。ピン１３６は、スリーブ１３４の横方向外側端部内に挿入されている。
【００４３】
スリーブ１３４の横方向内側端部は、矩形の切欠き１２０の下方端部に形成される矩形の切込み１３８内に位置している。切込み１３８は、クランプ９４の回転を防止するよう、ピン１３６を受容する。しかしながら、クランプ９４の据付け前に、制動組立体９６が、先ずブロック１０６に連結され、クランプ基部１２２によって保持される。
【００４４】
制動組立体９６は、平坦な基部１４８を有する制動パッド１４６と、基部１４８の外側端部から横方向に内向きに延びる一対の対向する制動アーム１５０とを含む。制動アーム１５０は、対向する上方及び下方の壁１５２によって接続され、壁の横方向内側端部は、円筒形壁２７の曲率と整合するよう湾曲されている。制動パッド１４６は、制動パッド１４６がスライドバー２６に対して付勢されるときに制動組立体２８がスライドバー２６に沿って摺動することを防止するのに適した任意の材料（例えば、天然ゴム又はネオプレンのような合成ゴム）から作成される。中心的に配置された概ね円筒形の孔１５４が、基部１４８を通じて横方向に延び、横方向に外向きに伸びるネジ１５６のシャフトを受容する大きさとされている。
【００４５】
トリガ４２は、横断方向に延びる軸についての曲率半径を有する実質的に矩形の板１５５を含む。よって、本体は、使用者のために係合表面をもたらすよう内向きに湾曲された横方向に外向きの表面１５８と、対向する外向きに湾曲された横方向内側表面１６０とを定める。横断方向に芯出しされた孔１６２が、トリガ４２の上方端部を通じて横方向に延びており、トリガは、孔１６２及び１５４が横方向に整列されるまで、楕円形の切欠き１１６を通じて垂直に挿入される。
【００４６】
よって、ネジ１５６は、制動パッド１４６の孔１５４内に部分的に挿入され、次に、制動パッドは、湾曲壁１５２がスライドバー１２６に面するよう、矩形の切欠き１２０内に挿入される。次に、トリガ４２は、板１５４が制動パッド１４６から横方向に外向きに配置されるよう、切欠き１１６内に挿入される。ネジ１５６は、孔１６２を通じて挿入され、トリガ４２と制動パッド１４６とを接続するよう、ナット１６４によって締結される。トリガ４２の下方端部は、切欠き１１６から下に延び、使用者作動表面を定める。
【００４７】
制動組立体９６は、制動パッド１４６から横方向に外向きに配置された、横方向に外向きに面する「Ｃ」形状バネ座１４０をさらに含む。バネ座１４０は、横断方向に細長い平坦な矩形の基部１４２と、基部１４２の上方端部及び下方端部から横方向に外向きに延びる対向する細長いアーム１４４とを含む。
【００４８】
ブラケット組立体２８は、制動パッド１４６の孔１５４を通じてネジ１５６を挿入し、制動パッドを矩形の切欠き１２０内に配置することによって組み立てられる。次に、トリガ４２が、孔１５４及び１６２を整列して配置するよう、楕円形状の切欠き１１６内に挿入される。よって、ネジ１５６は、孔１６２を通じてさらに挿入され、ナット１６４を用いて締結される。次に、バネ座１４０は、バネ１６６が基部１４２とトリガ４２の上方端部との間に延在するよう、制動パッド１４６に隣接して配置される。
【００４９】
バネ座基部１４２は、クランプ基部１２２に隣接して位置付けられる。次に、クランプ９４が、ワッシャ１３２及びカラー１３０を座１３５に対して配置することによって、並びに、スリーブ１３４を矩形の切込み１３８内に配置することによって据え付けられる。次に、クランプ９４をブロック１０６に締結するために、ネジ１２８が、孔１３７内に螺挿される。
【００５０】
図１も参照すると、ブラケット組立体２８が組み立てられるや否や、バネ座１４０が、クランプ基部１２２に対して位置し、バネ１６６が、スライドバー２６に沿うクランプ９４の垂直動作を防止するのに十分な力を用いて、制動パッド１４６を（ポケット１００内で）スライドバー２６に対して付勢する。使用者がクランプの垂直位置を調節することを欲するとき、彼又は彼女は、トリガ４２の下方の露出端部を押し下げ、トリガの上方端部が、バネ１６６の力に抗して、スライドバー２６から離れる方向に、制動パッド１４６を横方向に外向きに付勢するようにさせ得る。
【００５１】
有利に、ブラケット組立体は、使用者がトリガ４２の下方端部を押し下げるために彼又は彼女の親指を使用しながらスライダ部材９２を容易に把持し得るよう構成される。制動パッド１４６がスライダバー２６から外れた状態で、スライダ部材９２の垂直位置は、所望に調節され得る。スライダ部材９２の垂直位置を係止するために、トリガ４２は解放され、それによって、バネ１６６がスライドバー２６に対して制動パッド１４６を付勢するようにさせる。
【００５２】
図７を今や参照すると、明瞭性及び便宜性の目的のために、２００だけ増分されたブラケット組立体２８の類似素子に対応する素子を有するブラケット組立体２２８が例証されている。上述されたように、ブラケット組立体２２８は、ブラケット組立体２８の代わりとして、スライドバー組立体２０内に据え付けられ得る。
【００５３】
ブラケット組立体２２８は、クランプ２９４を支持するスライダ部材２９２を含む。スライダ部材２９２は、スライドバー２６に沿って進行するよう構成された円筒形スリーブ１９０をさらに受容する。トリガ応答制動組立体２９６が、クランプ２９４をスライドバー２６に解放可能に接続する。ブラケット組立体２２８の構成部品が今や記載される。
【００５４】
スリーブ２９０は、スライドバー２２６の直径と実質的に等しい内径を有する、垂直に延びる管状の部材である。スライドバー２６上でのスリーブ２９０の摺動を補助するために、スロット２９８が、スリーブ２９０を通じて垂直に延びている。矩形のポケット３００が、スリーブ２９０の上方端部の横方向外側に形成されている。
【００５５】
スライダ部材２９２は、スリーブ２９０が首部３０４によって受容されるよう、スリーブ２９０の外径と実質的に等しい（或いはスリーブ２９０の外径よりも僅かに大きい）内径を有する、垂直に延びる円筒形の首部３０４を含む。Ｏリング３０４も設けられる。
【００５６】
概ね矩形のブロック３０６が、首部３０４の上方端部から横方向に外向きに延在している。ブロック３０６は、正面３０８と、対向する上方壁３１０及び下方壁３１２と、首部３０４と正面３０８との間に延在する対向する湾曲側壁とを含む。楕円形状の切欠き３１６が、下方壁３１０を通じて垂直に延び、横断方向に（即ち、長手方向及び横方向の両方に対して垂直な方向に）細長い。矩形の切欠き３２０が、正面３０８の下方端部を通じて横方向に延び、スライドバー２６の外側円筒形壁２７の露出部分が切欠き３２０と整列されるよう、スリーブ９０のポケット１００と整列されている。
【００５７】
クランプ２９４は、垂直に延びる基部３２２と、基部２２２から横方向に外向きに延びる対向する湾曲アーム３２４とを含む。湾曲アーム３２４は、上述された方法でシャワーヘッド３０の管状ハンドル３２と係合するよう可撓である。実質的に円筒形の孔３２６が、基部３２２を通じて延び、クランプ２９４をクランプ取付け組立体３２９に接続するネジ３２８のシャフトを受容する大きさとされている。
【００５８】
クランプ取付け組立体３２９は、ゴムワッシャ３３２と、スペーサ部材３３０とを含み、インサート３３４内に螺挿されている。ゴムワッシャ３３２は、ワッシャ３３２に対するクランプ２９４の回転を防止するために基部３２２によって支持される切込み（図示せず）と整合するよう構成される径方向キー３３３を有する環状である。スペーサ部材３３０は、切欠き３３９に対するスペーサ部材３３０の回転を防止するためにインサート３３４と整合するよう構成されたキー付き切欠き３３９を定める概ね矩形の本体である。
【００５９】
具体的には、インサート３３４は、概ね矩形の筐体３４１を含み、筐体は、筐体３４１から横方向に外向きに延びる概ね円筒形の頭部３４３を有する。一対の対向する切込み３４５が、スペーサ部材３３０のキー付き切欠き３３９を受容するよう構成された頭部３４３に形成されている。中心的に配置された円筒形の首部３４７が、環状ワッシャ３３２を受容する大きさとされた頭部３４３から横方向に外向きに延びている。
【００６０】
よって、ネジ３２８は、孔３２６を通じて延び、クランプ２９４、ワッシャ３３２、スペーサ部材３３０、及び、インサート３３４を締結する。クランプ取付け組立体３２９は、ブロック３０６が回転動作に対してインサート３０４及びスペーサ部材３３０を係止するよう、矩形の切欠き３２０内に挿入される。よって、クランプ２９４は、スライダ部材２９２に対する回転が防止される。
【００６１】
一対のネジ３４９が、下方壁３１２を通じて延びる対応する対の円筒形孔を通じて延びている。各ネジは、クランプ係止組立体３２９をブロック３０６に締結するために、インサート３３４の基部内に延びる孔（図示せず）内に螺挿される。しかしながら、クランプ２９４の据付け前に、制動組立体２９６は、先ずブロック３０６に連結される。
【００６２】
制動組立体２９６は、平坦な基部３４８と、基部３４８の外側端部から横方向に内向きに延びる一対の対向する制動アーム３５０（１つが図示されている）とを有する制動パッド３４６を含む。制動アーム３５０は、対向する上方及び下方の壁３５２（上方壁のみが図示されている）によって接続されており、壁の横方向内側端部は、円筒形壁２７の曲率と整合するよう湾曲されている。制動パッド３４６は、制動パッド３４６がスライドバー２６に対して付勢されるときにブラケット組立体２２８がスライドバー２６に沿って摺動することを防止するのに適した任意の材料（例えば、天然ゴム又はネオプレンのような合成ゴム）から作成される。中心的に配置された概ね円筒形の孔３５４が、基部３４８を通じて横方向に延在している。
【００６３】
トリガ２４２が、横断方向に延びる軸についての曲率半径を有する実質的に矩形の板３５５を含む。よって、本体は、使用者のための係合表面をもたらすよう内向きに湾曲された横方向外表面３５８と、対向する外向きに湾曲された横方向内表面３６０とを定める。横断方向に芯出しされた孔３６２が、トリガ２４２の上方端部に配置された横方向に外向きに面する円筒形強化部３６３を通じて横方向に延在している。
【００６４】
制動パッド３４６は、切欠き３１６に対して横方向に内向きの場所で切欠き内に挿入される。トリガ２４２の上方端部は、孔３６２及び３５４が横方向に整列するまで、楕円形切欠き３１６を通じて垂直に挿入される。ネジ３５６が、孔３６２を通じて挿入され、トリガ２４２と制動パッド３４６とを接続するために孔３５４内に螺挿される。バネ部材３６６が、トリガ２４２の強化部３６３とインサート３３４の横方向内側端部との間に延在している。よって、インサート３３４は、スライドバー２６に沿うクランプ９４の垂直動作を防止するのに十分な力で、バネ部材３６６が制動パッド３４６を（ポケット１００内で）スライドバー２６に対して付勢するようにさせる。
【００６５】
使用者がクランプの垂直位置を調節することを欲するとき、彼又は彼女はトリガ２４２の下方露出端部を押し下げ、トリガの上方端部が制動パッド３４６をバネ部材３６６の力に対して横方向に外向きにスライドバー２６から離れる方向に付勢するようにさせ得る。有利に、ブラケット組立体は、トリガ２４２の下方端部を押し下げるために彼又は彼女の親指を使用しながら使用者がスライダ部材２９２を容易に把持し得るように構成される。制動パッド３４６がスライドバー２６から外された状態で、スライダ部材２９２（故に、ブラケット）の垂直位置は、所望に調節され得る。スライダ部材２９２の垂直位置を係止するために、トリガ２４２は解放され、それによって、バネ２６６が制動パッド２４６をスライドバー２６にこうして付勢するようにさせる。
【００６６】
本発明の好適実施態様が上述されたに過ぎないことが理解されるべきである。しかしながら、本発明の精神及び範囲内にある好適実施態様に対する多くの修正及び変更が当業者に明らかであろう。従って、本発明は記載された実施態様に限定されない。本発明の完全な範囲を確認するためには、以下の請求項が参照されるべきである。
【００６７】
工業的用途
本発明は、手持ち式シャワーヘッドを保持するよう構成されたブラケット組立体を有するシャワースライドバー組立体を提供する。
【図面の簡単な説明】
【００６８】
【図１】手持ち式シャワーに連結された本発明のスライドバー組立体を示す斜視図である。
【図２】変更された垂直位置が点線で示された本発明のスライドバー組立体を示す側面図である。
【図３】本発明のスライドバー組立体の下方部分を示す展開図である。
【図４】組立て後の図３の部分を示す断面図である。
【図５】図１のブラケット組立体を示す展開図である。
【図６】組立て後の図５のブラケット組立体を示す断面図である。
【図７】代替的なブラケット組立体を示す展開斜視図である。
【図１】
2009534561.tif 000003
【図２】
2009534561.tif 000004
【図３】
2009534561.tif 000005
【図４】
2009534561.tif 000006
【図５】
2009534561.tif 000007
【図６】
2009534561.tif 000008
【図７】
2009534561.tif 000009
【国際調査報告】
2009534561.tif 000010
2009534561.tif 000011
2009534561.tif 000012
2009534561.tif 000013
2009534561.tif 000014